(57)【要約】【課題】  グリップを握りかえることもせずに、自然な引き寄せ動作によって良好な使用性のもと使用可能なシャワー装置を提供する。【解決手段】  シャワー装置が、シャワーホース１と、上記シャワーホース１の先端に設けてシャワー吐水を行うシャワーヘッド２と、シャワーヘッド２におけるシャワーホース１の接続部位と反対側に突設した棒状のグリップ３とを備えて成る。【選択図】        図１
2008104743.tif 000002
【特許請求の範囲】
【請求項１】
シャワーホースと、上記シャワーホースの先端に設けてシャワー吐水を行うシャワーヘッドと、シャワーヘッドにおけるシャワーホースの接続部位と反対側に突設した棒状のグリップとを備えて成ることを特徴とするシャワー装置。
【請求項２】
取付部位に取り付けてシャワーホースをその基端側に弾性的に巻き取って収納自在にするホース収納部を備えて成ることを特徴とする請求項１記載のシャワー装置。
【請求項３】
取付部位に取り付けてシャワーヘッド又はグリップを係止するフックを備えて成ることを特徴とする請求項１または２記載のシャワー装置。
【発明の詳細な説明】
【技術分野】
【０００１】
本発明は、シャワー装置に関するものである。
【背景技術】
【０００２】
従来からシャワー装置は図２のように浴室や洗面台やキッチンキャビネット２１等の取付部位から至るシャワーホース１の先端にシャワー吐水を行うシャワーヘッド２を設けており、そのグリップ３はシャワーホース１とシャワーヘッド２との間に設けられている（たとえば特許文献１参照）。そして、このシャワー装置にあっては、使用者はグリップ３を把持してシャワーヘッド２側（シャワーホース１と反対側）に引き寄せるようにして使用されるのであるが、この引き寄せ動作は不自然であり、その使用性は良好とはいえないものであった。
【０００３】
すなわち、身体全体で引っ張り力をより引き出せる自然な引き寄せ動作は、たとえば綱引きで綱を握って引っ張るが如く、握った指の小指Ｋの方向（人差し指Ｈの方向と反対方向）である身体の中央方向に引っ張ることで為されるものであるが、上記シャワー装置で課す引き寄せ動作は、矢印Ｂのように、握った指の人差し指Ｈの方向である身体の抹消方向への引き寄せ動作であり、前腕の力でのみ引っ張り力を出さねばならず、疲れやすくてその使用性は良好とはいえないのである。無論、先のシャワー装置にあって、把持部の握り方を握った手の小指Ｋ側がシャワーヘッド２側になるように変えて、身体の中央方向に引っ張ることもできるが、実際にシャワーを使用する際には、シャワー吐水を狙いの箇所に当てるべくシャワーヘッド２を容易に操作するために、握った手の人差し指Ｈ側がシャワーヘッド２側に位置させるように握りかえねばならないため、使用性は悪い。
【０００４】
殊に、特許文献２のように取付部位に取り付けたホース収納部４によってシャワーホース１をその基端側に弾性的に巻き取るタイプのシャワー装置にあっては、シャワーヘッド２を引き寄せる動作はシャワーホース１の巻き取り方向の弾性力に抗して行わねばならず、疲れやすく、つまり使用性が非常に悪いものとなっている。
【特許文献１】特開２０００−５１７４０号公報
【特許文献２】実開平５−１４２６２号公報
【発明の開示】
【発明が解決しようとする課題】
【０００５】
本発明は上記の点に鑑みてなされたものであり、その目的とするところは、グリップを握りかえることもせずに、自然な引き寄せ動作によって良好な使用性のもと使用可能なシャワー装置を提供することを課題とするものである。
【課題を解決するための手段】
【０００６】
上記課題を解決するために請求項１に係るシャワー装置にあっては、シャワーホース１と、上記シャワーホース１の先端に設けてシャワー吐水を行うシャワーヘッド２と、シャワーヘッド２におけるシャワーホース１の接続部位と反対側に突設した棒状のグリップ３とを備えて成ることを特徴とする。これによると、シャワーヘッド２を扱い易いようにシャワーヘッド２側に人差し指Ｈを位置させるようにグリップ３を握ることとなるが、シャワーヘッド２とシャワーホース１とグリップ３との位置関係がシャワーホース１とグリップ３との間にシャワーヘッド２が位置する関係にあるので、シャワーホース１と反対側の方向へ引き寄せる際には握った手の小指Ｋの方向である身体の中央方向に引き寄せることができる。つまり、身体全体で引っ張り力をより引き出せる自然な引き寄せ動作によりシャワーヘッド２を引き寄せてそのままの握りでシャワーヘッド２を容易に操作することができるのであり、グリップ３を握りかえることもせずに自然な引き寄せ動作によって良好な使用性のもと、シャワー装置を使用できるのである。
【０００７】
また、請求項２に係るシャワー装置にあっては、請求項１において、取付部位に取り付けてシャワーホース１をその基端側に弾性的に巻き取って収納自在にするホース収納部４を備えて成ることを特徴とする。これによると、シャワーホース１の巻き取り方向の弾性力に抗して行うこととなるシャワーヘッド２の引き寄せ動作が、身体全体で引っ張り力を引き出せる自然な引き寄せ動作により行うことができるから、請求項１の効果をより有効に発揮させることができる。
【０００８】
また、請求項３に係るシャワー装置にあっては、請求項１または２において、取付部位に取り付けてシャワーヘッド２又はグリップ３を係止するフック５を備えて成ることを特徴とする。これによると、フック５によってシャワーヘッド２を取付部位である壁面等に掛けたりできるのであり、シャワー装置の利便性を向上できる。
【発明の効果】
【０００９】
本発明にあっては、グリップを握りかえることもせずに自然な引き寄せ動作によって良好な使用性のもとシャワー装置を使用できる、という利点を有する。
【発明を実施するための最良の形態】
【００１０】
以下、本発明を添付図面に示す実施形態に基いて説明する。
【００１１】
本例のシャワー装置は、図１のように、シャワー水の供給源に接続される可撓性を有するシャワーホース１と、シャワーホース１の先端に設けてシャワー吐水を行うシャワーヘッド２と、シャワーヘッド２におけるシャワーホース１の接続部位と反対側に突設した棒状のグリップ３と、取付部位に取り付けてシャワーホース１をその基端側に弾性的に巻き取って収納自在にするホース収納部４と、取付部位に取り付けてシャワーヘッド２又はグリップ３を係止するフック５とを有して構成されている。
【００１２】
詳しくは、シャワーヘッド２は、その長さ方向において、基端部にシャワーホース１のホース接続部５が設けられ、中央部にシャワーホース１から供給されたシャワー水をシャワー吐水として吐水させる多数のシャワー孔を穿設して成るシャワー吐水部７が設けられ、先端部に先端方向（ホース接続部５と反対側の方向）にグリップ３が一体に突設されている。形状的にはシャワーヘッド２は、ホース接続部５から徐々に幅広に形成されてシャワー吐水部７で最大幅となり、シャワー吐水部７からグリップ３の突設部位に至るまで徐々に幅狭に形成されている。グリップ３は握り易いように断面楕円形または円形の棒形状に形成されているが、根元部から突出先端に向けて徐々に径を太くするように形成されている。
【００１３】
ホース収納部４はケース８にホースリール９が回動自在にされて収納され、このホースリール９に可撓なシャワーホース１が基端側から巻回される。ここで、ホースリール９内には図示しない渦巻きばねが設けられてホースリール９を巻取り方向に自動的に回転させるようになっている。つまりシャワーホース１はホース収納部４のホースリール９によってその基端側に弾性的に巻き取られて収納自在とされている。またホース収納部４には図示しないロック機構が設けられ、シャワーホース１を任意の巻き取り位置で固定できるようにされている。ロック機構にはたとえば公知のロック機構が適用できる。本例ではシャワーホース１は比較的ゆっくり先端方向に引っ張るとロック機構が作動してホースリール９からの任意の引き出し量で一旦固定され、その後シャワーホース１を比較的素早く先端方向に引っ張るとロック機構が解除されて渦巻きばねによる弾性力でホースリール９に収納されるようになっている。またホースリール９にはシャワーホース１の基端部とシャワー水の供給源となる給水路とを接続する管接続部１０が設けられている。
【００１４】
フック５は上下に貫通する軸孔部１１が穿設されており、軸孔部１１はその軸方向に徐々に径を拡げるように形成されると共に、軸孔部１１の周面には上下に亙って内外に貫通する切欠状の挿通用空所１２が形成されている。フック５における軸孔部１１の中心軸を介して挿通用空所１２と反対側の部位は壁面等の取付部位に固定される固定面１２となっている。軸孔部１１の最小の内径はグリップ３やシャワーヘッド２が係止できる大きさの内径寸法に形成され、挿通用空所１２はグリップ３の最小径となる根元部やシャワーホース１が挿通できる幅に形成されている。
【００１５】
このシャワー装置はたとえば図１（ａ）のように浴室２０に配設される。本例では浴室２０の天井裏１３にホース収納部４が取り付けられ、ホース収納部４から延出されるシャワーホース１は天井材１４を貫通して設けたホース導出孔１５から浴室２０内に至るようにされている。なお、ホースリール９の管接続部１０には天井裏１３に配管されたシャワー吐水供給管１６が接続され、シャワーホース１にシャワー水が供給可能にされている。また、フック５がホース導出孔１５の略真下位置の浴室２０の壁１７に、軸孔部１１の拡径部分が下方に位置するようにして取り付けられており、このフック５にはその軸孔にシャワーヘッド２の基端部またはグリップ３が下方から係止可能にされている。つまり、挿通用空所１２にシャワーホース１を挿通させて軸孔部１１内に挿入すれば、天井裏１３のホース収納部４に弾性的にシャワーホース１が巻き取られることで、シャワーヘッド２の基端部がフック５に下方から係止されるのであり、また、挿通用空所１２にグリップ３の根元を挿通させて軸孔部１１内に挿入すれば、天井裏１３のホース収納部４に弾性的にシャワーホース１が巻き取られることで、グリップ３の根元部よりも太径の突出先端側の部位がフック５に下方から係止されるのである。このときにはシャワーホース１は、従来一般のシャワー装置のように垂れた状態ではなく、ホース収納部４とフック５との間で直線的に張られた状態となって、シャワー装置ひいては浴室２０の見栄えが良好である。無論、フック５によってシャワーヘッド２を取付部位である壁面に掛けたりできるので、シャワー装置の利便性は向上される利点も有する。
【００１６】
このシャワー装置は、フック５からシャワーヘッド２またはグリップ３を外しながら、使用者はグリップ３を把持してシャワーホース１と反対側の方向へ引き寄せることで使用される。このとき、シャワー吐水を狙いの箇所に向けたり等、シャワーヘッド２を扱い易くするには、使用者は図１（ｂ）のようにシャワーヘッド２側に人差し指Ｈを位置させるようにグリップ３を握ることとなる。ここで、本例のシャワー装置では、シャワーヘッド２とシャワーホース１とグリップ３との位置関係がシャワーホース１とグリップ３との間にシャワーヘッド２が位置する関係にあるので、上記のようにグリップ３を握ったときには、シャワーホース１と反対側の方向へ引き寄せるには、矢印Ａのように、グリップ３を握った手の小指Ｋの方向である身体の中央方向に引き寄せることとなる。つまり、身体全体で引っ張り力をより引き出せる自然な引き寄せ動作によりシャワーヘッド２を引き寄せてそのままの握りでシャワーヘッド２を容易に操作することができるようになっており、グリップ３を握りかえることもせずに自然な引き寄せ動作によって良好な使用性のもと、シャワー装置を使用できるようになっている。更に言うと、本例は、シャワーヘッド２の引き寄せ動作はホース収納部４によるシャワーホース１の巻き取り方向の弾性力に抗して行うこととなるが、叙述のようにシャワーヘッド２の引き寄せ動作が身体全体で引っ張り力を引き出せる自然な引き寄せ動作により行うことができるから、従来のグリップ３を握った手の人差し指Ｈの方向である身体の抹消方向に引き寄せるものに比べ疲れにくく、その操作性は格段に良好となっている。
【００１７】
なお、本例のシャワー装置は、図１では浴室２０のシャワー装置に用いた例を例示したが、洗面台やキッチンキャビネット等のシャワー装置に用いることも可能であるのは言うまでもない。ここで、洗面台やキッチンキャビネット等のシャワー装置に用いる場合には、弾性的にシャワーホース１を収納するホース収納部４や、フック５は必要でない場合もあるため、ホース収納部４やフック５は必要に応じてシャワー装置を構成するようにしてもよい。すなわち、シャワーホース１と、上記シャワーホース１の先端に設けてシャワー吐水を行うシャワーヘッド２と、シャワーヘッド２におけるシャワーホース１の接続部位と反対側に突設した棒状のグリップ３とでシャワー装置を構成すれば、叙述したようにグリップ３を握りかえることもせずに自然な引き寄せ動作によって良好な使用性のもとシャワー装置を使用できる利点を享受することができるのである。
【図面の簡単な説明】
【００１８】
【図１】本発明の実施の形態の例のシャワー装置であり、（ａ）は浴室に配設したシャワー装置を使用している状態の側断面図であり、（ｂ）はシャワー装置の使用を説明する要部の斜視図である。
【図２】従来技術のシャワー装置の問題点を説明する説明図である。
【符号の説明】
【００１９】
１  シャワーホース
２  シャワーヘッド
３  グリップ
４  ホース収納部
５  フック
【図１】
2008104743.tif 000003
【図２】
2008104743.tif 000004